(57)【要約】【課題】本発明の第１の目的は塗料メーカ・ユーザ間で色ずれが発生せず、調色時間を短縮するとともにコスト削減や色精度向上を達成できる調色塗料の提供方法を提示することである。第２の目的は、この調色を利用して顔料混練型の調色粉体塗料（複数色の顔料樹脂・添加剤等とともに混練し粉砕し、必要に応じて分級し調色する粉体塗料）のリードタイムを短縮する方法を提示することである。【解決手段】この発明の方法は、複数色の原色粉体塗料から作成される調色塗料をユーザに提供する方法にして、調色塗料の配合データをユーザから受け取る工程と、前記配合データに基づいて複数色の原色粉体塗料を計量し混合することにより調色塗料を製造する工程と、前記調色塗料をユーザへ送る工程と、を有する。又この方法は、ブレンド調色塗料の配合比より導いた顔料データを基に顔料混練型の調色粉体塗料を製造する。【選択図】  図１
2008121022.tif 000002
【特許請求の範囲】
【請求項１】
複数色の原色粉体塗料から作成される調色塗料をユーザに提供する方法にして、
調色塗料の配合データをユーザから受け取る工程と、
前記配合データに基づいて複数色の原色粉体塗料を計量し混合することにより調色塗料
を製造する工程と、
前記調色塗料をユーザへ送る工程と、
を有する調色塗料の提供方法。
【請求項２】
原色粉体塗料の生産計画を、各ユーザから受け取る配合データに基づいて調整する生産
計画の決定方法。
【請求項３】
複数色の原色粉体塗料を含有する調色塗料を取得する方法にして、
色見本の色を測色し、その結果に基づいて原色粉体塗料の配合比を決定する工程と、
決定した配合比及び配合量を原色粉体塗料保有者へ送る工程と、
前記配合データに従って配合された調色塗料を原色粉体塗料保有者から受け取る工程と
、
を有する調色塗料の取得方法。
【請求項４】
複数色の原色粉体塗料の混合により調色した配合データをもとに顔料混練型粉体塗料の
組成比を決定する工程と、
その組成比に従って顔料混練型粉体塗料を生産する工程と、
を有する粉体塗料の製造方法。
【請求項５】
前記配合データは、原色塗料の色特性と、ユーザの使用する塗装装置の塗布・焼付条件
とに応じて決定された配合比とユーザが必要とする配合重量データとを含む請求項１〜４
に記載の方法。
【発明の詳細な説明】
【技術分野】
【０００１】
本発明は、複数色の原色粉体塗料から作成されるブレンド調色塗料の製造、提供、若し
くは取得に関する。
【背景技術】
【０００２】
有機溶剤を含まないために環境性に優れている粉体塗料は家庭電化製品、自動車部品、
家具等の塗装に広く用いられている。
【０００３】
前記粉体塗料は一般的には、樹脂・顔料・硬化剤及び添加剤等を混練・粉砕、必要によ
り分級することにより、２０〜５０μｍの微粒子から成る微粒子パウダーとして製造され
る。
【０００４】
この粉体塗料を用いて塗装する場合には、塗装ガン等で粉体塗料を被塗布物に対して吹
き付ける。この際、塗料微粒子は被塗布物に対して静電力で付着される。次いで、被塗布
物と共に加熱することにより、粉体塗料を被塗布物に対して焼付る。
【０００５】
ユーザは顧客から塗装品の色を特定するための色見本を受け取ると、この色見本を塗料
メーカへ送付する。
【０００６】
塗料メーカは、前記色見本を測色器により測色し、そのデータを基にコンピュータ・カ
ラーマッチング装置により顔料・樹脂の配合比を決定する。以下、前記測色器とコンピュ
ータ・カラーマッチング装置からなるシステムを、コンピューター・カラーマッチング・
システム或いは、CCMシステムと言う。
【０００７】
前記塗料メーカは、決定された配合比により、樹脂・各色顔料・硬化剤及び添加剤等を
、粉体塗料製造装置を用いて混練・粉砕することにより、調色塗料を製造する。
【０００８】
最後に塗料メーカは、調色塗料をユーザへ提供する。
【発明の開示】
【発明が解決しようとする課題】
【０００９】
従来方法においては、メーカよりユーザへ提供された調色塗料を被塗布物へ塗装したと
き、前記色見本の色が実現しない場合があった。
【００１０】
この場合、異なった色となった塗装サンプルをユーザから塗料メーカへ送付する。塗料
メーカでは、受け取った塗装サンプルを参照し、顔料の配合比を変更、調整し、混練・粉
砕を再実行することにより調色塗料を再製造する。この粉体塗料の再製造の為に、注文色
毎に混練機や粉砕機などの製造設備を洗浄しなければならず、色調節に、多くの時間を要
していた。
【００１１】
従って、従来の方法においては、色見本に合致した色の調色塗料をユーザへ提供するま
でにリードタイムが長くなると共にコストが高騰することになっていた。
【００１２】
この問題を解決するために、溶剤系塗料と同様に複数の原色粉体塗料を作成し、ドライ
ブレンドにより調色することが考えられている（特開平１１−２８６６３５）。
【００１３】
しかし、特開平１１−２８６６３５或いは塗装技術1989年6月号８４頁〜８９頁に記載
されているように、粉体塗料の色は、塗布・焼付条件により大きく変わることが知られて
おり、実際の塗装条件を考慮して配合比決定、即ち調色を行わなければ色合わせを行うこ
とは難しい。
【００１４】
特開平１１−２８６６３５では、この問題を解決するために、「実際の塗装と同条件で
試作塗装し、その塗膜の測色データを基に修正計算を行う」、ことを提案している。
【００１５】
しかし、従来と同様に塗料メーカで調色を実施するのであれば、塗料メーカとユーザ間
で塗布・焼付条件の違いに起因する色ぶれが発生する可能性があり、調色時間、コスト、
および色精度の大幅な改善は難しい。
【００１６】
更に、調色が複数色の原色粉体塗料を原料とする調色である場合、原色塗料を予め製造
する必要があり、その在庫を適正に保つために精度の高い原色塗料生産計画が望まれてい
る。
【００１７】
本発明の第１の目的は塗料メーカ・ユーザ間で色ずれが発生せず、調色時間を短縮する
とともにコスト削減や色精度向上を達成できる調色塗料の提供方法を提示することである
。
【００１８】
また、第２の目的としてこの調色を利用して顔料混練型の調色粉体塗料（複数色の顔料
樹脂・添加剤等とともに混練し粉砕し、必要に応じて分級し調色する粉体塗料）のリード
タイムを短縮する方法を提示することである。
【課題を解決するための手段】
【００１９】
前記目的を達成する第１の発明は、複数色の原色粉体塗料から作成された調色塗料をユ
ーザへ提供する方法にして、調色塗料の配合データ（配合比及び配合量）をユーザから受
け取る工程と、前記配合データに基づいて複数色を計量・混合することにより調色塗料を
製造する工程と、前記調色塗料をユーザへ送る工程と、を有する。
【００２０】
前記原色粉体塗料は、たとえば特開平１０−２１２４３５に記載の方法で製造する。
【００２１】
前記配合データは、原色塗料の色特性と、ユーザの所有する塗装条件に応じて決定され
る配合比とユーザが必要とする配合重量データである。
【００２２】
前記配合比決定は、ユーザに於ける以下のプロセスにより導出されるのが好ましい。こ
のプロセスは、原色塗料の色特性を表現している基礎データにより運転されるコンピュー
タ・カラーマッチング・システム（測色器とコンピュータ・カラーマッチング装置とを含
む）を用いて色見本の色を実現するための一次配合比を作成する工程と、この一次配合比
から作成された調色塗料を用いて塗膜を形成する工程と、この塗膜の色と色見本の色を比
較し両者が一致しない場合は、ユーザの塗装条件を考慮し前記一次配合比と測色データを
基に補正を繰返し、ユーザ所望色に対して基準範囲内で一致させる工程と、を含み得る。
【００２３】
これにより粉体塗料のニーズをつかみ、各原色塗料を計画的に生産することができる。
【００２４】
前記配合比決定のため、前記ＣＣＭシステムを運用するための基礎データを塗料メーカ
からユーザへ提供するのが望ましい。
【００２５】
これによりユーザは、塗料メーカが製造した原色塗料の特性に応じて調整されたCCMシ
ステムにより、前記原色塗料の配合比を決定する。
【００２６】
前記において、ユーザから配合データを受け取り、この配合データに基づいて複数色の
原色塗料を配合し、配合された調色塗料をユーザに送る工程は、原色塗料メーカ、又は当
該塗料メーカの代理店により行われるのが望ましい。
【００２７】
第２の発明は、複数色の原色粉体塗料を含有する調色塗料を取得する方法にして、色見
本の色を測色し、もって原色粉体塗料の配合比を決定する工程と、決定した配合比及び配
合量（配合データ）を原色粉体塗料保持者へ送る工程と、前記配合比で配合された調色塗
料を原色塗料保持者から受け取る工程と、を有する。
【００２８】
前記方法において、前記配合比は前記色見本を測色することでCCMシステムを用いて求
められるのが望ましい。また、前記方法では、前記CCMシステムの基礎データを原色粉体
塗料メーカから受け取る工程を有するのが望ましい。
【００２９】
前記方法はまた、ユーザの使用する塗装装置の塗装条件に基いて前記配合比を補正する
工程を含むのが望ましい。前記塗装条件には、塗布条件（塗装ガンの種類等）及び焼き付
け条件（焼き付け釜の種類等）が含まれる。
【００３０】
第３の発明は、顔料数種類に樹脂・添加剤等を加え混練・粉砕・分級することで製造さ
れる調色塗料をユーザへ提供する方法にして、ブレンド調色で得られた調色塗料の配合デ
ータから顔料データ（顔料配合比および配合重量）を導出する工程と、前記顔料データに
基づいて複数色の顔料を樹脂・添加剤等とともに混練し粉砕、必要に応じて分級すること
により調色塗料を製造する工程と、前記調色塗料を前記ユーザへ送る工程を有する。
【００３１】
本明細書中で、ブレンド調色とは原色粉体塗料の調色（ドライブレンド調色）もしくは
原色スラリー粉体塗料（水で分散した粉体塗料）の調色のいずれかを意味する。
【発明の効果】
【００３２】
以上説明したようにこの発明によれば、調色塗料使用者であるユーザに対して調色塗料
をより迅速・安価に且つ色再現性よく供給することができ、且つ、当該ユーザはその顧客
に対して塗装品をより迅速・安価かつ色再現性よく提供することが出来る。
【発明を実施するための最良の形態】
【００３３】
図１に示す本発明の第１実施形態は、複数色の原色粉体塗料からなる調色塗料を、塗料
メーカ２１から塗料ユーザ（塗装業者）２３へ提供する方法である。なお、塗料メーカ２
１とユーザ２３との間の関係を示す図１、図３、図5、図7では、配合データ等の情報の伝
達を破線、塗料等の物の送付を実線で示した。
【００３４】
塗料メーカ２１は、例えば特開平１０−２１２４３５に記載された方法により原色粉体
塗料を製造する。この原色粉体塗料は、例えば白、黒、赤、黄、青、緑の６種類から成る
。前記塗料メーカ２１は、前記原色粉体塗料を配合或いは調合し調色塗料を得るために計
量と混合からなる調合をする為の設備５３、例えば計量器と混合器、必要に応じて配合器
又は調合器を備えている。
【００３５】
一方、前記塗料ユーザ２３は、前記塗料メーカ２１からの調色塗料を用いて被塗布物に対して塗装を行い塗装品を製造する。塗料ユーザ２３は、顧客からの色見本等を測色し、前記色見本の色を実現すると予測される原色塗料の配合比を出力するコンピュータ・カラー・マッチングシステム（以下、CCMシステムと略称する）５１を備えている。ＣＣＭシステム５１は、一般的には色見本を測定し分光データ及び色彩値（３刺激値）を得る測色器と、上記分光データからCCM基礎データを用いて配合計算を行うコンピュータ・カラーマッチング装置（CCM）とから成る。入力されたCCM基礎データ２９をもとにして、CCMシステム５１は、色見本の測色データから原色塗料の配合比を求める。
【００３６】
前記調合をする為の設備５３を備えた塗料メーカ２１と、CCMシステム５１を備えたユ
ーザ２３との間で実行されるこの発明の第１実施形態は、以下の工程を備える。
【００３７】
１． 塗料ユーザ２３が、前記CCMシステム５１を用いて色見本の色を実現する原色塗料
の配合比を決定し、配合データを求める工程（なお、この配合データは原色塗料の配合比
及び配合量の少なくとも一つを含む。）。
【００３８】
２． 塗料ユーザ２３から塗料メーカ２１へ、原色塗料の配合データ２５を送る工程。
【００３９】
３． 塗料メーカ２１が、前記配合データ２５に基づいて色の異なった複数色の原色粉
体塗料を配合することにより調色塗料２７を製造する工程。
【００４０】
４． 塗料メーカからユーザ２３へ、前記調色塗料２７を送る工程。
【００４１】
なおCCMシステム５１を運用するためのCCM基礎データ２９と試行に用いる原色塗料（サ
ンプル用原色塗料）３３が、塗料メーカ２１からユーザ２３へ予め送られる。
【００４２】
第１実施形態のフローチャートを図２で表わす。ステップＳ１で、塗料メーカ２１が例
えば６色（白、黒、赤、黄、青、緑）の原色塗料を、例えば特開平１０−２１２４３５に
記載された方法により製造する。ステップＳ３で、塗料メーカ２１が、ユーザ２３が使用
するCCMシステム５１を作動させるためのCCM基礎データ２９を作成する。CCM基礎データ
２９は、前記塗料メーカ２１により製造される原色塗料の特性を反映して設定されている
。この基礎データを入力したCCMシステム５１を用いることにより、ユーザ２３は、目的
色の色見本を測色し、メーカ２１の製造する原色塗料の配合比を決定できる。
【００４３】
ステップＳ５で、塗料メーカ２１は、ＣＣＭ基礎データ２９及び原色塗料（サンプル用
）３３をユーザ２３へ供給する。ステップＳ６で、ユーザ２３は前記ＣＣＭ基礎データ２
９をCCMシステム５１のCCM基礎データ記憶手段へ入力する。
【００４４】
ステップＳ７で、ユーザ２３は顧客から色見本を受領する。
【００４５】
ステップＳ８〜Ｓ１９で、ユーザ２３は、自己の塗装条件に整合するようにメーカ２１
の製造する原色塗料の配合比を決定する。より詳細には以下の通りである。
【００４６】
ステップＳ８で、顧客から受領した色見本の色をCCMシステム５１中の測色器で測色す
る。
【００４７】
ステップＳ９で、測色の結果から原色塗料の配合比を計算し、コンピュータ等の配合比
記録手段へ記録する。
【００４８】
ステップＳ１１で、配合比に基づいて、サンプル用原色塗料３３を調合しサンプル用調
色塗料を作成する。このサンプル用調色塗料作成の際、ユーザは、電子天秤の如き計量器
及びタンブラーの如き混合器を用いる。
【００４９】
ステップＳ１３で、ユーザはサンプル用調色塗料を、被塗布物サンプルへ塗布すると共
に当該サンプルを焼付し、塗装サンプルを製造する。
【００５０】
ステップＳ１５で、ユーザは、前記塗装サンプルの色をCCMシステム５１で測色する。
【００５１】
ステップＳ１６で、前記塗装サンプルの測色データの値を、ステップＳ９で記録された
測色データの値と比較する。なお、色見本と塗装サンプルの色の比較は、前記測色データ
の比較或いはそれに加えて肉眼によるマニュアル比較により行ってもよい。両データが基
準範囲内で一致すれば配合データを決定し（ステップＳ２０）、一致しない場合はステッ
プＳ１９を経由してステップＳ１１へ戻る。
【００５２】
ステップＳ１９では色見本と測色データが一致しない塗装サンプルの配合比と測色デー
タとを基に配合比の補正を行い配合比記録手段へ記録する。ステップＳ１１で補正された
配合比で再びサンプル用調色塗料を作成し、ステップＳ１３で、このサンプル用調色塗料
を用いて再度塗装作業を行い、ステップＳ１５で測色を行う。
【００５３】
ステップＳ１６でこの測色データを前記記録手段に記録された色見本の測色データと比
較し、両データが基準範囲内で一致するまで、ステップＳ１９、Ｓ１１、Ｓ１３、Ｓ１５
を繰返す。
【００５４】
ステップＳ１６で両データが基準範囲内で一致すれば、スッテプＳ２０へ進む。
【００５５】
ステップＳ２０で、配合比記録手段に記憶されている配合比と配合量とを、調色塗料配
合データとして確定させる。
【００５６】
ステップＳ２１で、前記配合比を含む配合データをユーザから原色塗料メーカへ送る。
このデータの転送はインターネットを介して行う。
【００５７】
ステップＳ２５で、塗料メーカは、前記配合比を有する調色塗料を製造する。
【００５８】
ステップＳ２７で、塗料メーカは前記製造した調色塗料をユーザへ送付する。
【００５９】
ステップＳ２９で、ユーザは前記調色塗料を用いて被塗布物へ塗布、焼き付けを行い塗
装品を完成する。
【００６０】
一方ステップＳ３１で、塗装メーカは、前記ユーザからの配合データ（配合比・配合重
量データ）に基づいて、原色塗料の生産計画を作成（変更）する。
【００６１】
本実施形態によれば、塗料メーカは、ユーザ側の塗布条件及び焼き付け条件を反映した
配合データを受信し、この配合データに基づいて原色塗料を配合することにより調色塗料
を製造することができる。従って、調色塗料を納品するまでのリードタイムを短縮し且つ
コストを削減でき、塗料の調色精度を高めることが可能になる。
【００６２】
また塗料メーカは、複数の前記ユーザ側からの配合データを集計することにより、原色
塗料の生産計画を調整することができる。即ち、調色塗料を使用するユーザ側のニーズに
基づいて原色塗料を生産するように生産計画を作成することができる。
【００６３】
図３に示すこの発明の第２実施形態は、複数色の原色粉体塗料からなる調色塗料２７を
ユーザ２３へ提供する方法であり、ユーザ２３から調色塗料の配合データ（配合比・配合
重量データ）２５を受け取る工程と、前記配合データ２５に基づいて複数色の原色塗料を
配合することにより調色塗料２７を製造する工程と、製造した調色塗料２７をユーザ２３
へ送る工程とを有する。
【００６４】
この第２実施形態においては、前記配合データ２５を受け取る工程、前記配合データ２
５に基づいて調色塗料２７を調合する工程、前記調色塗料２７をユーザ２３へ送る工程は
、塗料メーカ２１を代理する代理店３１により行われる。代理店３１がユーザ２３から受
け取った配合データ２５は塗料メーカ２１に送られる。
【００６５】
塗料メーカ２１は、原色塗料を製造し、製造した原色塗料を前記代理店３１へ供給する
と共に、前記原色塗料の特性に基づいて作成されたCCM基礎データ２９とサンプル用原色
塗料３３を、予めユーザ２３へ送っておく。この際、CCM基礎データはインターネット等
の通信手段を介して送ることができる。
【００６６】
図４に本発明の第２実施形態の工程フローチャートを示す。
【００６７】
ステップＳ１〜Ｓ５で、塗料メーカ２１が、原色塗料を製造しこの原色塗料に基づいて
CCM基礎データを作成し、前記CCM基礎データを原色塗料サンプルと共にユーザ２３へ送る
。ステップＳ１〜Ｓ５の詳細は、図２に示した第１実施形態におけるステップＳ１〜Ｓ５
と同様である。
【００６８】
塗料メーカ２１は、ステップＳ４１で、原色塗料（例えば前記６色の原色塗料）を代理
店３１へ送る。
【００６９】
一方ステップＳ６〜Ｓ２１で、ユーザ２３は、前記CCM基礎データをCCＭシステムの記
録手段へ記録すると共に、顧客から色見本を受け取り、当該色見本の色彩値をCCMシステ
ムで測色し、当該色彩値を実現するための原色塗料の配合比（塗料メーカ２１で製造され
代理店３１へ送られた原色塗料の配合比）を決定し、その決定した配合比と配合量（配合
データ）を代理店３１へインターネット等の通信手段により送信する。
【００７０】
前記ステップS６〜Ｓ２１の詳細は、図２に示した第１実施形態のステップＳ６〜Ｓ２１と同様である。例えばステップＳ１９では、ユーザの使用する塗装条件（塗布条件及び焼き付け条件）に応じて前記配合比が補正される。
【００７１】
ステップＳ２５で、前記代理店３１において、前記ユーザ２３からの配合データに基づ
いて原色塗料が調合される。
【００７２】
ステップＳ２７で調合された調色塗料が代理店３１からユーザ２３へ送られる。
【００７３】
ステップＳ２９でユーザ２３において、代理店３１からユーザ２３へ送られた調色塗料を用いて被塗布物へ塗布・焼付が行われる。
【００７４】
一方ステップＳ４５で、代理店３１から塗料メーカ２１へ、インターネット等の通信手段を介して配合比及び配合重量データを含む配合データ２５が転送される。
【００７５】
ステップＳ３１で、塗料メーカ２１は、前記代理店３１から受領した配合データに基づ
いて原色塗料を生産するための生産計画を調整する。
【００７６】
この第２実施形態によれば、第１実施形態と同様に調色塗料をユーザへ納入するまでの
プロセスが簡単化され、調色塗料を納品するまでのリードタイムを短縮し、コストの削減
を行うことが出来る。又、塗料の調色精度を高めることも可能になる。
【００７７】
また、この第２実施形態では、代理店３１がユーザ２３からの配合データを受信しこれ
に基づいて調色塗料２７を調合する。そしてこの調色塗料２７をユーザへ供給する。従っ
てユーザ２３のニーズに対してより迅速に対応することができる。またユーザ２３に対し
てより細かなサービスをすることができる。
【００７８】
図５にこの発明の第３実施形態を示す。この実施形態は、ユーザ２３が、CCMシステム
５１及び調合器５３の両方を有する場合に適応される。
【００７９】
第３実施形態は、複数色の原色粉体塗料からなる調色塗料を製造する方法にして、塗料
メーカ２１から複数色の原色粉体塗料３３を受け取る工程と、調色塗料により実現しよう
とする色見本の色をCCMシステム５１で測色することにより、当該調色塗料の配合比を決
定する工程と、前記配合比と配合重量データ（配合データ）に基づいて複数色の原色粉体
塗料を調合器等５３で配合もしくは調合する工程とを有する。
【００８０】
この時決定される配合データはネットワーク等を介して、自動的に塗料メーカが受け取
り、塗料メーカはこの配合データを原色塗料の生産計画に反映させる。
【００８１】
図６に、本発明の第３実施形態で実行される工程のフローチャートを示す。
【００８２】
ステップＳ１、Ｓ３、Ｓ５で塗料メーカ２１が、原色塗料を製造すると共にCCMシステ
ム５１のためのCCM基礎データを作成し、このCCM基礎データを原色塗料と共にユーザ２３
へ送る。
【００８３】
ステップＳ６〜Ｓ２０で、ユーザ２３が前記CCM基礎データをCCMシステムのＣＣＭ基礎
データ記憶手段へ記録すると共に、顧客から色見本を受領し、この色見本をCCMシステム
５１で測色し、この色見本を実現するための原色塗料の配合比を決定する。
【００８４】
前記ステップＳ１〜Ｓ５及びステップＳ６〜Ｓ２０の詳細は、図２に示した第１実施形
態の内容と同様である。
【００８５】
ステップＳ２５で、ユーザ２３は、前記ステップＳ７〜Ｓ２０で決定した配合比に基づ
いて原色塗料を調合器等５３を用いて調合する。
【００８６】
この調合工程Ｓ２５の詳細は、図２示した第１実施形態におけるステップＳ２５の調合
工程と同様である。
【００８７】
ステップＳ２９で、ユーザ２３は、前記調合工程Ｓ２５により調合した調色塗料を用い
て被塗布物へ塗布及び焼き付けを行い塗装作業を終了する。
【００８８】
第３実施形態によれば、ユーザがCCMシステム５１及び調合器等５３を有しており、自
ら調色及び調合を行うことができるので、調色塗料を自らのニーズに合わせてより迅速に
取得することが出来る。また、これによりユーザは顧客からの要請に応じてより迅速に塗
装品をその顧客へ提供できる。
【００８９】
図７に示す本発明の第４実施形態の方法は、複数色の顔料を樹脂・添加剤等とともに予
備混合、混練、粉砕、必要に応じて分級、表面処理することで製造される調色塗料（顔料
混練型粉体塗料）をユーザ２３へ提供する方法にして、実施形態図１，図３，図５等の任
意の調色方法で配合データを決定する工程で得られた配合データ２５をユーザ２３から受
け取る工程と、前記配合データに基づいて顔料混練型粉体塗料の組成比（顔料、樹脂、添
加剤の比率）を決定する工程と、その組成比に従って複数色の顔料をはじめとする粉体顔
料原料を予備混合、混練、粉砕、必要に応じて分級、表面処理することにより調色塗料を
生産する工程と、前記調色塗料を前記ユーザへ送る工程２７を有する。
【００９０】
ここに、顔料混練型粉体塗料の組成比は、配合比に基づき、色見本の色とユーザの使用
する塗装装置の塗装条件とに応じて決定される。
【００９１】
すなわち、顔料混練型粉体塗料の組成比は、複数の原色粉体塗料のブレンド調色で得ら
れた配合比を「各原色の顔料分散、焼付け条件による発色性の違い、塗布条件による塗着
効率のデータ等を基に導かれた補正関数Δｆ」を用いて補正することにより決定される。
【００９２】
ここで、補正関数Δｆは、ブレンド調色と顔料混練型調色間での発色力の違いに基づい
て、樹脂と添加剤と顔料の組成比を補正する関数である。この時、樹脂の種類、添加剤の
種類、顔料の種類はブレンド調色の結果から取得する。
【００９３】
補正関数としては、以下の各事情（１）、（２）を反映する各補正関数が挙げられる。
【００９４】
（１）ブレンド調色塗料の配合比を原色塗料の塗着効率に応じて補正する関数。すなわ
ち、ブレンド調色での塗膜は原色塗料の比率に基づく色となるが、原色毎に塗着効率が異
なり配合比と塗着した原色塗料の比率が異なる場合、配合比に基づいた組成比で顔料混練
型調色塗料を調製すると得られる塗板の色はブレンド調色塗料の塗板の色と異なるため、
原色塗料の塗着効率に応じて配合比を補正する必要がある。
【００９５】
（２）ブレンド調色における原色塗料と顔料混練型調色塗料との発色性に応じて補正す
る関数。すなわち、顔料分散性は、顔料濃度、顔料の組み合わせ等による混練時の粘度等
の影響を受け、個別に混練して調製した原色塗料と顔料を一括に混練して調製した顔料混
練型調色塗料では顔料分散性が異なり、発色性の差を補正する必要がある。
【００９６】
従来の顔料混練型粉体塗料における調色では、通常、ユーザからの色見本を元に小スケ
ールでの調色を繰り返して色合わせを行い、メーカで作成された色見本がユーザで承認さ
れれば、スケールアップを行ない粉体塗料を生産する。ただし、焼き付け炉の状態などに
より、色味に差が生じることがあるためユーザ側で塗装、焼付けテストを行なうこともあ
る。この手法では、小スケールでの調色で樹脂、添加剤と顔料の選定と組成比を決定して
いくため色合わせの効率が悪い。
【００９７】
しかし、本発明ではブレンド調色粉体塗料の調色結果を用いて顔料混練型粉体塗料の樹
脂や添加剤の種類の決定、樹脂、添加剤、顔料の組成比を導くため色合わせの時間が短縮
される。
【００９８】
また、補正関数Δｆを求める工程により、これまで熟練者に依存している顔料混練型の
調色技術を自動化することが可能になり作業の効率化が図れると同時に、調色技術の伝達
が容易になる。
【００９９】
さらにブレンド調色粉体塗料の配合比に補正を加えて決定された組成比と最終的に調色
で用いた組成比違いを次の調色に対してフィードバックすることで補正関数Δｆの精度が
向上し、さらなる効率化が可能になる。
【０１００】
この第４実施形態により、大量の調色顔料を必要とするユーザに対しても、短時間で精
度の良い調色塗料を提供できる。即ち、この場合には、顔料等から調色塗料を製造する工
程において、色替え・色調節の回数（調色ループ）を削減でき、もって調色塗料のリード
タイム短縮と製造コスト削減が可能になる。
【図面の簡単な説明】
【０１０１】
【図１】図１は、 本発明の第１実施形態の概略説明図である。
【図２】図２は、 本発明の第１実施形態の詳細工程を示すフローチャートである。
【図３】図３は、 本発明の第２実施形態の概略説明図である。
【図４】図４は、 本発明の第２実施形態の詳細工程を示すフローチャートである。
【図５】図５は、本発明の第３実施形態の概略説明図である。
【図６】図６は、 本発明の第３実施形態の詳細工程を示すフローチャートである。
【図７】図７は、 本発明の第４実施形態の概略説明図である。
【図１】
2008121022.tif 000003
【図２】
2008121022.tif 000004
【図３】
2008121022.tif 000005
【図４】
2008121022.tif 000006
【図５】
2008121022.tif 000007
【図６】
2008121022.tif 000008
【図７】
2008121022.tif 000009
【手続補正書】
【提出日】平成20年1月25日(2008.1.25)
【手続補正１】
【補正対象書類名】特許請求の範囲
【補正対象項目名】全文
【補正方法】変更
【補正の内容】
【特許請求の範囲】
【請求項１】
複数色の原色粉体塗料を含有する調色塗料を取得する方法にして、
（ａ）インターネットを介して塗料メーカから受け取った、ＣＣＭシステムを運用するための原色塗料の特性に応じたＣＣＭ基礎データをＣＣＭシステムに入力する工程と、
（ｂ）色見本の測色結果に基づいて、前記ＣＣＭシステムにより原色粉体塗料の配合比を決定する工程と、
（ｃ）発注の為に、インターネットを介して、決定した配合比データ及び配合量データを原色粉体塗料保有者側へ送る工程と、
を有し、
前記工程（ｂ）は、
（ｄ）前記ＣＣＭシステムにより、色見本の測色結果に基づいて原色粉体塗料の配合比を決定すると共に、決定された配合比に基づいて、塗料メーカから受け取ったサンプル用原色塗料を調合し、調色塗料サンプルを作成する工程と、
（ｅ）前記調色塗料物サンプルを被塗布物サンプルへ塗布する工程と、  
（ｆ）塗装物サンプルの測色結果を、前記工程（ｄ）での色見本の測色結果と比較する工程と、
（ｇ）前記工程(ｆ)において測色結果が一致しない場合、前記工程（ｄ）で決定された配合比を補正する工程と
を有する調色塗料を取得する方法。
【請求項２】
前記配合データは、原色塗料の色特性と、ユーザの使用する塗装装置の塗布・焼付条件とに応じて決定された配合比データと、ユーザが必要とする配合重量データと、を含む請求項１に記載の方法。